(57)【要約】  【課題】給水装置に関し、貯水タンクに給水された水をすばやく冷却し、低温に保温することを図る。  【解決手段】扉８を備えた冷蔵庫本体７の庫内側上部に、直冷式蒸発器１５が配置されており、直冷式蒸発器１５の測部にキャップ１０を備えた貯水タンク９と、貯水タンク９に貯水された水を冷蔵庫本体７の扉８の外部へと移動させる、一端が貯水タンク９に接続され、他端が扉８の外部に配置される接続パイプ１１と、接続パイプ１１の他端が接続された開閉装置１２と、開閉装置１２に接続された給水パイプ１３と、開閉装置１２の開閉を行う給水レバー１４で構成されることにより、直冷式蒸発器１５の測部に配置された貯水タンク９が冷却され、貯水タンク９に給水された水をすばやく冷却し、低温に保温することができる。【選択図】図１
2007040675.tif 000002
【特許請求の範囲】
【請求項１】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置される給水パイプとを有する給水装置において、前記貯水タンクが蒸発器の側部に配置されたことを特徴とした給水装置。
【請求項２】
前記給水パイプを伸縮性部材で構成したことを特徴とした請求項１に記載の給水装置。
【請求項３】
前記蒸発器と前記貯水タンクの間に断熱性部材を備えたことを特徴とした請求項１または２に記載の給水装置。
【請求項４】
前記貯水タンクに前記断熱性部材を備えたことを特徴とした請求項１から３のいずれか一項に記載の給水装置。
【発明の詳細な説明】
【技術分野】
【０００１】
本発明は、冷蔵庫の扉の内側に配設された貯水タンクから扉の外側へ冷水を供給する給水装置に関するものである。
【背景技術】
【０００２】
従来、この種の直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置される給水パイプとを有しているものがある（例えば、特許文献１参照）。
【０００３】
図１０は、特許文献１に記載された従来の給水装置を示すものである。図１０に示すように冷蔵庫本体１の扉２と、貯水タンク３と、キャップ４と、給水パイプ５と、給水ポンプ６とから構成されている。
【０００４】
以上のように構成された給水装置について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気で冷却するため、貯水タンクに給水された水をすばやく冷却することができず、また、冷蔵庫庫内を凍結しない温度に調節しつつ、貯水タンクの水を低温（約０℃）に保温できないという課題を有していた。
【０００７】
本発明は従来の課題を解決するもので、貯水タンクに給水された水をすばやく冷却し、低温（約０℃）に保温することができるようにした給水装置を提供することを目的とする。
【課題を解決するための手段】
【０００８】
上記従来の課題を解決するために、本発明の給水装置は、貯水タンクを蒸発器の側部に配置したものである。
【０００９】
これによって、蒸発器により、直接貯水タンクが冷却されるようにしたものである。
【発明の効果】
【００１０】
本発明の給水装置は、貯水タンクが蒸発器の測部に配置されたことにより、貯水タンクの水をすばやく冷却し、低温に保温することができる。
【発明を実施するための最良の形態】
【００１１】
請求項１に記載の発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置される給水パイプとを有する給水装置において、前記貯水タンクが蒸発器の側部に配置されたものであり、貯水タンクに給水された水をすばやく冷却し、低温に保温することができる。
【００１２】
請求項２に記載の発明は、請求項１に記載の発明において、前記給水パイプを伸縮性部材で構成したものであり、給水装置の動作を保障することができる。
【００１３】
請求項３に記載の発明は、請求項１または２に記載の発明において、前記蒸発器と前記貯水タンクの間に断熱性部材を備えたものであり、貯水タンクに給水された水をすばやく冷却し、適切な温度に保温することができる。
【００１４】
請求項４に記載した発明は、請求項１から３のいずれか一項に記載の発明において、前記貯水タンクに前記断熱性部材を備えたものであり、貯水タンクに給水された水をすばやく冷却し、適切な温度に保温することができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１における給水装置の断面図である。図２は、本発明の実施の形態１における給水装置の上面配置図である。
【００１７】
図１において、扉８を備えた冷蔵庫本体７の庫内側上部に、直冷式蒸発器１５が配置されており、蒸発器１５の測部にキャップ１０を備えた貯水タンク９と、貯水タンク９に貯水された水を冷蔵庫本体７の扉８の外部へと移動させる、一端が貯水タンク９に接続され、他端が扉８の外部に配置される接続パイプ１１と、接続パイプ１１の他端が接続された開閉装置１２と、開閉装置１２に接続された給水パイプ１３と、開閉装置１２の開閉を行う給水レバー１４で構成されている。
【００１８】
以上のように構成された給水装置について、以下その動作、作用を説明する。
【００１９】
まず、貯水タンク９のキャップ１０がはずされ、貯水タンク９に水が給水される。給水された水は、接続パイプ１１を通り開閉装置１２で堰き止められる。この時、蒸発器１５により、蒸発器１５の測部に配置された貯水タンク９が冷却され、貯水タンク９に給水された水をすばやく冷却し、低温に保温することができる。
【００２０】
（実施の形態２）
図３は、本発明の実施の形態２における給水装置の断面図である。図３において、扉８を備えた冷蔵庫本体７の庫内側上部に、直冷式蒸発器１５が配置されており、直冷式蒸発器１５の測部にキャップ１０を備えた貯水タンク９と、貯水タンク９に貯水された水を冷蔵庫本体７の扉８の外部へと移動させる、一端が貯水タンク９に接続され、他端が扉８の外部に配置される伸縮性部材で構成された接続パイプ１６と、接続パイプ１６の他端が接続された開閉装置１２と、開閉装置１２に接続された給水パイプ１３と、開閉装置１２の開閉を行う給水レバー１４で構成されている。
【００２１】
以上のように構成された給水装置について、以下その動作、作用を説明する。
【００２２】
まず、貯水タンク９のキャップ１０がはずされ、貯水タンク９に水が給水される。給水された水は、接続パイプ１６を通り開閉装置１２で堰き止められる。この時、伸縮性部材で構成された接続パイプ１６により、扉８の開閉時に接続パイプ１６が伸縮するため、接続パイプ１６の耐久性が向上し、かつ、直冷式蒸発器１５により、直冷式蒸発器１５の測部に配置された貯水タンク９が冷却され、貯水タンク９に給水された水をすばやく冷却し、低温に保温することができる。
【００２３】
（実施の形態３）
図４は、本発明の実施の形態３における給水装置の断面図である。図４において、扉８を備えた冷蔵庫本体７の庫内側上部に、直冷式蒸発器１５が配置されており、直冷式蒸発器１５の測部にキャップ１０を備えた貯水タンク９と、貯水タンク９に貯水された水を冷蔵庫本体７の扉８の外部へと移動させる、一端が貯水タンク９に接続され、他端が扉８の外部に配置される伸縮性を持つ構造とした接続パイプ１７と、接続パイプ１７の他端が接続された開閉装置１２と、開閉装置１２に接続された給水パイプ１３と、開閉装置１２の開閉を行う給水レバー１４で構成されている。
【００２４】
以上のように構成された給水装置について、以下その動作、作用を説明する。
【００２５】
まず、貯水タンク９のキャップ１０がはずされ、貯水タンク９に水が給水される。給水された水は、接続パイプ１７を通り開閉装置１２で堰き止められる。この時、伸縮性を持つ構造とした接続パイプ１７により、扉８の開閉時に接続パイプ１７が伸縮するため、接続パイプ１７の耐久性が向上し、かつ、直冷式蒸発器１５により、直冷式蒸発器１５の測部に配置された貯水タンク９が冷却され、貯水タンク９に給水された水をすばやく冷却し、低温に保温することができる。
【００２６】
（実施の形態４）
図５は、本発明の実施の形態３における給水装置の断面図である。図５において、扉８を備えた冷蔵庫本体７の庫内側上部に、直冷式蒸発器１５が配置されており、直冷式蒸発器１５の測部にキャップ１０を備えた貯水タンク９と、貯水タンク９に貯水された水を冷蔵庫本体７の扉８の外部へと移動させる、一端が貯水タンク９に接続され、他端が扉８の外部に配置される伸縮性の構造を持つ伸縮性部材で構成した接続パイプ１８と、接続パイプ１８の他端が接続された開閉装置１２と、開閉装置１２に接続された給水パイプ１３と、開閉装置１２の開閉を行う給水レバー１４で構成されている。
【００２７】
以上のように構成された給水装置について、以下その動作、作用を説明する。
【００２８】
まず、貯水タンク９のキャップ１０がはずされ、貯水タンク９に水が給水される。給水された水は、接続パイプ１８を通り開閉装置１２で堰き止められる。この時、伸縮性を持つ構造とした接続パイプ１８により、扉８の開閉時に接続パイプ１８が伸縮するため、接続パイプ１８の耐久性が向上し、かつ、直冷式蒸発器１５により、直冷式蒸発器１５の測部に配置された貯水タンク９が冷却され、貯水タンク９に給水された水をすばやく冷却し、低温に保温することができる。
【００２９】
（実施の形態５）
図６は、本発明の実施の形態５における給水装置の断面図である。図７は、本発明の実施の形態５における給水装置の上面配置図である。
【００３０】
図６、７において、扉８を備えた冷蔵庫本体７の庫内側上部に、直冷式蒸発器１５が配置されており、直冷式蒸発器１５の測部にキャップ１０を備えた貯水タンク９と、貯水タンク９に貯水された水を冷蔵庫本体７の扉８の外部へと移動させる、一端が貯水タンク９に接続され、他端が扉８の外部に配置される接続パイプ１１と、接続パイプ１１の他端が接続された開閉装置１２と、開閉装置１２に接続された給水パイプ１３と、開閉装置１２の開閉を行う給水レバー１４と、貯水タンク９と蒸発器１５の間に配置された断熱性部材１９で構成されている。
【００３１】
以上のように構成された給水装置について、以下その動作、作用を説明する。
【００３２】
まず、貯水タンク９のキャップ１０がはずされ、貯水タンク９に水が給水される。給水された水は、接続パイプ１１を通り開閉装置１２で堰き止められる。この時、断熱性部材１９により、貯水タンク９の水が凍ることなく、直冷式蒸発器１５の測部に配置された貯水タンク９が冷却され、貯水タンク９に給水された水をすばやく冷却し、低温に保温することができる。
【００３３】
（実施の形態６）
図８は、本発明の実施の形態６における給水装置の断面図である。図９は、本発明の実施の形態６における給水装置の上面配置図である。
【００３４】
図８、９において、扉８を備えた冷蔵庫本体７の庫内側上部に、直冷式蒸発器１５が配置されており、直冷式蒸発器１５の測部にキャップ１０と断熱性部材２１を備えた貯水タンク２０と、貯水タンク２０に貯水された水を冷蔵庫本体７の扉８の外部へと移動させる、一端が貯水タンク２０に接続され、他端が扉８の外部に配置される接続パイプ１１と、接続パイプ１１の他端が接続された開閉装置１２と、開閉装置１２に接続された給水パイプ１３と、開閉装置１２の開閉を行う給水レバー１４とで構成されている。
【００３５】
以上のように構成された給水装置について、以下その動作、作用を説明する。
【００３６】
まず、貯水タンク２０のキャップ１０がはずされ、貯水タンク２０に水が給水される。給水された水は、接続パイプ１１を通り開閉装置１２で堰き止められる。この時、断熱性部材２１により、貯水タンク２０の水が凍ることなく、直冷式蒸発器１５の測部に配置された貯水タンク２０が冷却され、貯水タンク２０に給水された水をすばやく冷却し、低温に保温することができる。
【産業上の利用可能性】
【００３７】
以上のように、本発明にかかる給水装置は、直冷式冷蔵庫の貯水タンクの水をすばやく冷却し、低温に保温することが可能となるので、直冷式冷蔵庫の給水器装置等の用途に適用できる。
【図面の簡単な説明】
【００３８】
【図１】本発明の実施の形態１における給水装置の断面図
【図２】本発明の実施の形態１における給水装置の上面配置図
【図３】本発明の実施の形態２における給水装置の断面図
【図４】本発明の実施の形態３における給水装置の断面図
【図５】本発明の実施の形態４における給水装置の断面図
【図６】本発明の実施の形態５における給水装置の断面図
【図７】本発明の実施の形態５における給水装置の上面配置図
【図８】本発明の実施の形態６における給水装置の断面図
【図９】本発明の実施の形態６における給水装置の上面配置図
【図１０】従来の給水装置の断面図
【符号の説明】
【００３９】
７    冷蔵庫本体
８    扉
９    貯水タンク
１０  キャップ
１１  接続パイプ
１２  開閉装置
１３  給水パイプ
１４  給水レバー
１５  直冷式蒸発器（蒸発器）
１６  接続パイプ
１７  接続パイプ
１８  接続パイプ
１９  断熱性部材
２０  貯水タンク
２１  断熱性部材
【図１】
2007040675.tif 000003
【図２】
2007040675.tif 000004
【図３】
2007040675.tif 000005
【図４】
2007040675.tif 000006
【図５】
2007040675.tif 000007
【図６】
2007040675.tif 000008
【図７】
2007040675.tif 000009
【図８】
2007040675.tif 000010
【図９】
2007040675.tif 000011
【図１０】
2007040675.tif 000012